(57)【特許請求の範囲】
【請求項１】
データサーバーにネットワーク経由で接続し、携帯式コンピュータ装置のハードウェアデータと前記データサーバに接続したことに基づいて得られるインターネットプロトコルアドレスとを含む第２ハードウェアデータ表を前記データサーバーに保存する携帯式コンピュータ装置の盗難防止方法であって、
前記携帯式コンピュータ装置が最初に作動するとき、前記携帯式コンピュータ装置のベーシックインプット/アウトプットシステムを用いて前記携帯式コンピュータ装置のハードウェア部品を検出し、該検出結果に基づいて前記携帯式コンピュータ装置の集積回路が第１ハードウェアデータ表を生成し、前記集積回路をネットワーク経由で前記データサーバーに接続し、前記第１ハードウェアデータ表を前記データサーバーにアップロードして第２ハードウェアデータ表として登録し、前記携帯式コンピュータ装置の使用者データを前記データサーバーに登録し、前記第２ハードウェアデータ表に前記使用者データによりログインして更新できる前記携帯式コンピュータ装置の状態を示す状態フィールドを作成して、前記状態を正常として登録するステップと、
前記携帯式コンピュータ装置の前記ベーシックインプット/アウトプットシステムを用いて前記携帯式コンピュータ装置のハードウェア部品を検出するステップと、
前記携帯式コンピュータ装置の前記集積回路が検出結果に基づいて前記第１ハードウェアデータ表を生成するステップと、
前記集積回路をネットワーク経由で前記データサーバーに接続し、前記第１ハードウェアデータ表を前記データサーバーにアップロードして、前記第１ハードウェア表を前記第２ハードウェアデータ表として更新するステップと、
前記携帯式コンピュータ装置が盗難にあった場合、前記使用者データによりログインして前記データサーバーに保存されている前記状態フィールドを盗難に設定するステップと、
前記第２ハードウェアデータ表を更新する際、前記状態フィールドが盗難状態を表示した時、前記集積回路は盗難表示機能を作動するステップと、
を含むことを特徴とする携帯式コンピュータ装置の盗難防止方法。
【請求項２】
前記集積回路が、前記携帯式コンピュータ装置の内蔵ネットワーク装置が前記ネットワークに接続可能かどうかを判断するステップと、
前記内蔵ネットワーク装置が前記ネットワークに接続可能な場合、前記集積回路が前記内蔵ネットワーク装置を用いて前記ネットワーク経由で前記第１ハードウェアデータ表を前記データサーバーに送信するステップと、
を更に含むことを特徴とする請求項１に記載の携帯式コンピュータ装置の盗難防止方法。
【請求項３】
前記内蔵ネットワーク装置が前記ネットワークに接続不可能な場合、前記集積回路が、伝送プログラムがインストールされているかどうかを判断するステップと、
前記伝送プログラムがインストールされていない場合、前記集積回路がバックグラウンドで前記伝送プログラムをインストールするステップと、
前記伝送プログラムが既にインストールされている場合、前記集積回路が外部ネットワーク装置を用いて前記ネットワークに接続し、前記伝送プログラムを用いて前記第１ハードウェアデータ表を前記データサーバーに送信するステップと、
を更に含むことを特徴とする請求項２に記載の携帯式コンピュータ装置の盗難防止方法。
【請求項４】
前記盗難表示機能は、前記携帯式コンピュータ装置の画面をロックして、全ての操作を実行できなくさせ、且つ対応操作を実行することを特徴とする請求項１ないし３項の何れか一項に記載の携帯式コンピュータ装置の盗難防止方法。
【請求項５】
前記対応操作は、前記携帯式コンピュータ装置の前記画面に盗難情報を表示させること、前記携帯式コンピュータ装置のスピーカーに継続的にノイズを発生させること、のうちの少なくとも１つを含むことを特徴とする請求項４に記載の携帯式コンピュータ装置の盗難防止方法。
【請求項６】
前記集積回路は、前記携帯式コンピュータ装置の前記第１ハードウェアデータ表を前記データサーバーに自動的に所定の期間ごとに送信することを特徴とする請求項１ないし３項の何れか一項に記載の携帯式コンピュータ装置の盗難防止方法。
【請求項７】
前記第２ハードウェアデータ表の前記状態フィールドが正常状態の場合には、前記盗難表示機能を解除することを特徴とする請求項６に記載の携帯式コンピュータ装置の盗難防止方法。
【請求項８】
データサーバーと、携帯式コンピュータ装置と、を備え、
前記データサーバーは、前記携帯式コンピュータ装置の最初の作動時に登録される前記携帯式コンピュータ装置の使用者情報と、前記携帯式コンピュータ装置のハードウェアデータと、前記データサーバーに接続したことに基づいて得られるインターネットプロトコルアドレスと、前記使用者情報によりログインして更新する前記携帯式コンピュータ装置の状態を示す状態フィールドと、を含む第２ハードウェアデータ表とを有し、
前記携帯式コンピュータ装置は、
前記携帯式コンピュータ装置が作動後、ハードウェア検出操作を実行して、前記携帯式コンピュータ装置の複数のハードウェアを検出するベーシックインプット/アウトプットシステムと、
前記データサーバーと接続するためのネットワーク装置と、
前記ハードウェア検出操作の検出結果に基づいて、第１ハードウェアデータ表を生成し、前記ネットワーク装置を用いてネットワーク経由で前記データサーバーに接続し、前記第１ハードウェアデータ表を前記データサーバーにアップロードして前記第１ハードウェアデータ表を前記第２ハードウェアデータ表として更新し、前記第２ハードウェアデータ表の前記状態フィールドが盗難状態を表示した時、盗難表示機能を作動する集積回路と、
を含むことを特徴とする携帯式コンピュータ装置の盗難防止システム。
【請求項９】
前記ネットワーク装置は内蔵ネットワーク装置であり、
前記携帯式コンピュータ装置が作動後、前記集積回路は、前記携帯式コンピュータ装置の前記内蔵ネットワーク装置が前記ネットワークに接続可能かどうかを判断し、前記内蔵ネットワーク装置が前記ネットワークに接続可能ならば、前記集積回路は前記内蔵ネットワーク装置により前記第１ハードウェアデータ表を前記データサーバーに送信することを特徴とする請求項８に記載の携帯式コンピュータ装置の盗難防止システム。
【請求項１０】
前記内蔵ネットワーク装置が前記ネットワークに接続できない場合、前記集積回路は、伝送プログラムがインストールされているかどうかを判断して、前記伝送プログラムがインストールされていない場合、バックグラウンドで前記伝送プログラムをインストールし、前記伝送プログラムが既にインストールされている場合、外部ネットワーク装置を用いて、前記ネットワークに接続し、且つ前記伝送プログラムを用いて、前記第１ハードウェアデータ表を前記データサーバーに送信することを特徴とする請求項９に記載の携帯式コンピュータ装置の盗難防止システム。
【請求項１１】
前記盗難表示機能は、前記携帯式コンピュータ装置の画面をロックして、全ての操作を実行できなくさせ、且つ対応操作を実行することを特徴とする請求項８ないし１０の何れか一項に記載の携帯式コンピュータ装置の盗難防止システム。
【請求項１２】
前記対応操作は、前記携帯式コンピュータ装置の前記画面に盗難情報を表示させること、前記携帯式コンピュータ装置のスピーカーに持続的に騒音を発生させること、のうちの少なくとも１つを含むことを特徴とする請求項１１に記載の携帯式コンピュータ装置の盗難防止システム。
【請求項１３】
前記集積回路は、前記携帯式コンピュータ装置の前記第１ハードウェアデータ表を前記データサーバーに自動的に所定の期間ごとに送信することを特徴とする請求項８ないし１０の何れか一項に記載の携帯式コンピュータ装置の盗難防止システム。
【請求項１４】
前記第２ハードウェアデータ表の前記状態フィールドが正常状態の場合には、前記盗難表示機能を解除することを特徴とする請求項１３に記載の携帯式コンピュータ装置の盗難防止システム。
【請求項１５】
請求項１乃至請求項７の何れか一項に記載の携帯式コンピュータ装置の盗難防止方法をコンピュータシステムに実行させるプログラムを格納する記憶媒体。
【発明の詳細な説明】
【技術分野】
【０００１】
本発明は携帯式コンピュータ装置に関し、特に、携帯式コンピュータ装置の盗難防止方法とシステムに関する。
【背景技術】
【０００２】
現行の携帯式コンピュータ装置（例えば、ノートブックパソコン、ウルトラモバイルＰＣ（Ultra Mobile Personal Computer：ＵＭＰＣ）、パーソナルデジタルアシスタント（Personal Digital Assistant：ＰＤＡ）、インターネット接続可能な携帯電話など）は比較的高価なため常に盗難の対象となり、その上、小型で且つ軽量ため容易に盗まれてしまう。これらの携帯式コンピュータ装置が盗まれた後、持ち主は大抵は探し出すために必要な情報を提示することができない。また、泥棒が携帯式コンピュータ装置のオペレーティングシステムを新たにインストールする、あるいはハードウェア資源を変えてしまうと、捜索がより困難になってしまう。
【発明の開示】
【発明が解決しようとする課題】
【０００３】
上記の問題点に対処するめに本発明は草案されたものであり、本発明の目的は、携帯式コンピュータ装置の盗難防止方法とシステムを提供することである。
【課題を解決するための手段】
【０００４】
上述の目的に基づいて、本発明の携帯式コンピュータ装置の盗難防止方法を掲示する。携帯式コンピュータ装置の盗難防止方法は、携帯式コンピュータ装置が作動後、前記携帯式コンピュータ装置の集積回路は、ネットワーク経由でデータサーバーに接続し、使用者データを前記データサーバーに登録する。前記携帯式コンピュータ装置のベーシックのインプット/アウトプットシステムを用いて、前記携帯式コンピュータ装置のハードウェア部品を検出する。前記集積回路は、検出結果に基づいて第１ハードウェアデータ表を発生し、且つ前記第１ハードウェアデータ表を前記データサーバーにアップロードし、第２ハードウェアデータ表、または前記データサーバーを更新する前記第２ハードウェアデータ表にし、前記第１と第２ハードウェアデータ表は、前記データサーバーに接続したことに基づいて得られたインターネットプロトコルアドレスを更に含み、前記第２ハードウェアデータ表は、前記携帯式コンピュータ装置の使用状態の状態フィールドの表示を更に含む。前記第１または第２ハードウェアデータ表の前記状態フィールドに盗難状態を表示した場合、前記集積回路は盗難表示機能を作動して、前記携帯式コンピュータ装置の画面をロックして、全て操作を実行できなくさせ、且つ対応操作を実行する。
【０００５】
本発明は、携帯式コンピュータ装置の盗難防止システムを更に提示する。携帯式コンピュータ装置の盗難防止システムは、データサーバーと携帯式コンピュータ装置とを含む。前記携帯式コンピュータ装置は、インプット/アウトプットシステムと、内蔵ネットワーク装置と、集積回路とを更に含む。前記携帯式コンピュータ装置が作動後、前記インプット/アウトプットシステムハードウェアが検出操作を実行して、前記携帯式コンピュータ装置の複数のハードウェアを検出する。前記ハードウェア検出操作の検出結果に基づいて、第１ハードウェアデータ表を発生し、前記内蔵ネットワーク装置を用いて、且つネットワークによって、前記データサーバーに接続し、使用者データを前記データサーバーに登録し、且つ前記第１ハードウェアデータ表を前記データサーバーにアップロードし、第２ハードウェアデータ表、または前記データサーバーを更新する前記第２ハードウェアデータ表にし、前記第１と第２ハードウェアデータ表は、前記データサーバーに接続したことに基づいて得られたインターネットプロトコルアドレスを更に含み、前記第２ハードウェアデータ表は、前記携帯式コンピュータ装置の使用状態の状態フィールドの表示を更に含み、及び前記第２ハードウェアデータ表の前記状態フィールドが盗難状態を表示した時、盗難表示機能を作動して、前記携帯式コンピュータ装置の画面をロックさせ、全て操作を実行できなくさせ、且つ対応操作を実行する。
【発明の効果】
【０００６】
本発明の盗難防止方法とシステムは、携帯式コンピュータ装置が盗まれた後、当該装置を見付け出すために役に立つ情報を自動的に提供して、さらに泥棒の逮捕にも寄与することができる。
【発明を実施するための最良の形態】
【０００７】
本発明についての目的、特徴、長所が一層明確に理解されるよう、以下に実施形態を例示し、図面を参照にしながら詳細に説明する。
【０００８】
本発明の実施例は、携帯式コンピュータ装置の盗難防止方法とシステムを掲示する。
【０００９】
本発明の実施例の盗難防止方法とシステムは、携帯式コンピュータ装置が盗難された後、盗まれた装置を見つけ出すために有益な情報を自動的に提供することで、泥棒の逮捕に貢献し、かつ盗難された装置を更に容易に見つけ出すことができる。
【００１０】
図１Ａは、本発明の実施例の盗難防止システムの概略図を表している。
【００１１】
前記盗難防止システムは、携帯式コンピュータ装置１１０とデータサーバー１２０を含む。本発明の方法を実施する場合、まず、携帯式コンピュータ装置１１０の内部に集積回路（Integrated Circuit：ＩＣ）をインストールする必要がある。携帯式コンピュータ装置１１０に電源が投入されると、携帯式コンピュータ装置１１０のベーシックインプット/アウトプットシステム１１１（Basic Input/Output System：ＢＩＯＳ）は、ハードウェア検出操作を実行し、さらに集積回路（ＩＣ）１１３にベーシックインプット/アウトプットシステム１１１より検出されたハードウェア部品１１５（例えば、中央処理機識別コード（ＣＰＵ  ＩＤ）、媒体アクセス制御（Media Access Control：ＭＡＣ）、アドレス、ハードウェア型番／シリアルナンバー、メモリ型番／シリアルナンバー、ＮＢシリアルナンバーなど）を自動的に記録させる。集積回路１１３は、検出されたハードウェア部品１１５に基づいて、ハードウェアデータ表１１４を生成し、保存媒体（図示せず）内に保存する。
【００１２】
携帯式コンピュータ装置１１０が始めて使用される場合、集積回路１１３は、オペレーティングシステムに入る前に、携帯式コンピュータ装置１１０の内蔵ネットワーク装置１１７によって、無線または有線の方式で自動的に予め定められたデータサーバー１２０に接続し、ハードウェアデータ表１１４に携帯式コンピュータ装置１１０から取得されたインターネットプロトコルアドレス（Internet Protocol Address：ＩＰアドレス）を加え、さらに自動的にハードウェアデータ表１１４をデータサーバー１２０（ハードウェアデータ表１２５）にアップロードし、併せて使用者データ（例えば、使用者名称とパスワード）をデータサーバー１２０に登録する。ハードウェアデータ表１２５は状態フィールドを更に含み、これが初期設定で「正常」にされている場合には、携帯式コンピュータ装置１１０は、最初の所有者により正常に使用されることを表している。
【００１３】
携帯式コンピュータ装置１１０が再度作動、または携帯式コンピュータ装置１１０のハードウェアに変更があった場合、集積回路１１３は、更新されたハードウェアデータ表１１４（インターネットプロトコルアドレスと状態フィールドを含む）をデータサーバー１２０にアップロードし、さらにデータサーバー１２０内のハードウェアデータ表１２５を更新して保存されることで、携帯式コンピュータ装置１１０とデータサーバー１２０のハードウェアデータ表は最新となる。
【００１４】
携帯式コンピュータ装置１１０が盗まれた場合、使用者は、使用者名称とパスワードを用いて、他のコンピュータ装置よりデータサーバー１２０にログインし、データサーバー１２０のハードウェアデータ表１２５の状態フィールドを「盗難」に変更する。変更後に泥棒が携帯式コンピュータ装置１１０をネットワークに接続すると、集積回路１１３は、ハードウェアデータ表１１４内のインターネットプロトコルアドレスを更新し、さらに更新されたハードウェアデータ表１１４をデータサーバー１２０にアップロードして、ハードウェアデータ表１２５を更新する。これにより、ハードウェアデータ表１２５の状態フィールドに基づいて、携帯式コンピュータ装置１１０は自身が盗難されたことを認識できる。
【００１５】
この時、集積回路１１３は盗難表示機能を実行し、携帯式コンピュータ装置１１０の画面（図示しない）をロックして全ての操作を実行不能にし、さらに携帯式コンピュータ装置１１０の画面（図示しない）に盗難情報を表示させるか、あるいは携帯式コンピュータ装置１１０のスピーカー（図示しない）に継続的にノイズを発生させる。また、使用者は、ハードウェアデータ表１２５内のインターネットプロトコルアドレスより携帯式コンピュータ装置１１０の所在を知ることができ、携帯式コンピュータ装置１１０を取り戻すことが可能となる。さらに、ハードウェアデータ表１２５内に記録されたハードウェア情報に基づいてハードウェアの変更状態を知ることができる。
【００１６】
携帯式コンピュータ装置１１０を取り戻した後、使用者は、使用者名称とパスワードを用いて、他のコンピュータ装置よりデータサーバー１２０にログインし、ハードウェアデータ表１２５の状態フィールドを「正常」に変更すると、集積回路１１３は、ハードウェアデータ表１２５の状態フィールドを取得した後、盗難表示機能を解除する。したがって、携帯式コンピュータ装置１１０は正常に使用できる。
【００１７】
使用者が外部ネットワーク装置（ネットワーク装置１１９（図１Ｂ参照））を用いて、ネットワークに接続した場合には、ハードウェアデータ表１１４がデータサーバー１２０に自動的にアップロード出来なくなる可能性がある。よって、携帯式コンピュータ装置１１０がオペレーティングシステムをインストールした後、携帯式コンピュータ装置１１０の集積回路１１３は、予め定められた伝送プログラムを自動的にインストールする。携帯式コンピュータ装置１１０は、外部ネットワーク装置を用いて、ネットワークに接続した時、集積回路１１３は、前記伝送プログラムによってハードウェアデータ表１１４をデータサーバー１２０に自動的にアップロードする。
【００１８】
ネットワーク装置１１９は、ユニバーサルシリアルバス（Universal Serial Bus：ＵＳＢ）インターフェースの第３世代(Third Generation：３Ｇ)、ネットワークカード、個人用コンピューターメモリカード国際協会(Personal Computer Memory Card International Association：ＰＣＭＣＩＡ)、インターフェースのネットワークカード、ＵＳＢインターフェースのネットワークカード、またはその他の互換のネットワーク装置である。
【００１９】
集積回路１１３は、ベーシックインプット/アウトプットシステム１１１と結合して、一体化した部品となり得ることに留意されたい。
【００２０】
携帯式コンピュータ装置１１０を他の使用者に譲渡または売却する時には、元の使用者は自身の使用者名称とパスワードを用いて、データサーバー１２０にログインして登録したデータを削除することができる。新しい使用者は、携帯式コンピュータ装置１１０を作動させた時、データサーバー１２０に接続して、新規に使用者データを登録することができる。
【００２１】
図２は、本発明の実施例の携帯式コンピュータ装置の登録データのフロー図である。
【００２２】
まず、使用者が携帯式コンピュータ装置１１０を購入する（ステップＳ２１）。次いで、前記携帯式コンピュータ装置１１０を作動させると、集積回路１１４が前記携帯式コンピュータ装置１１０の内蔵ネットワーク装置１１７を用いて自動的にネットワーク（例えば、インターネット）によりデータサーバー１２０に接続し、使用者データ（使用者名称とパスワード）を前記データサーバー１２０に登録する。さらに、前記携帯式コンピュータ装置１１０のベーシックインプット/アウトプットシステム１１１の検出操作に基づいて、前記携帯式コンピュータ装置１１０のハードウェアデータのハードウェアデータ表１１４を生成し、このハードウェアデータ表１１４を前記データサーバー１２０にアップロードする（ステップＳ２２）。ここで、前記ハードウェアデータ表１１４は、前記データサーバーへの接続に基づいて得られたインターネットプロトコルアドレスを含む。
【００２３】
図３は、本発明の実施例の盗難防止方法のフロー図である。
【００２４】
データ登録を完成した後、前記携帯式コンピュータ装置１１０を再度作動させ（ステップＳ３１）。前記携帯式コンピュータ装置１１０の前記集積回路１１３は、前記携帯式コンピュータ装置１１０のベーシックインプット/アウトプットシステム１１１に基づいて検出されたハードウェア部品からハードウェアデータ表１１４（第１ハードウェアデータ表）を生成する（ステップＳ３２）。前記集積回路１１３は、前記携帯式コンピュータ装置１１０の内蔵ネットワーク装置１１７がネットワーク（例えばインターネット）に接続可能かどうかを判断（ステップＳ３３）する。ネットワークに接続可能な場合（ステップＳ３３で「ＹＥＳ」）、前記集積回路１１３は、前記内蔵ネットワーク装置１１７により前記第１ハードウェアデータ表を前記データサーバー１２０に送信する（ステップＳ３４）。すでに前記データサーバーにアップロードしたハードウェアデータ表を第２ハードウェアデータ表と称する。前記第２ハードウェアデータ表は状態フィールドを更に含む。
【００２５】
第２ハードウェアデータ表の前記状態フィールドに基づいて、前記携帯式コンピュータ装置１１０は自身が盗難されたかどうかを判断する（ステップＳ３５）。上述のように、前記携帯式コンピュータ装置１１０が盗難された後、使用者は、使用者名称とパスワードを用いて、他のコンピュータ装置より前記データサーバーにログインし、前記データサーバーの前記第２ハードウェアデータ表の状態フィールドを「盗難」に変更する。
【００２６】
仮に、前記第２ハードウェアデータ表の前記状態フィールドが「盗難」を表示した時、前記集積回路１１３は、盗難表示機能を作動し（ステップＳ３６）、前記携帯式コンピュータ装置１１０の画面をロックして、全ての操作を実行できなくさせる。さらに前記携帯式コンピュータ装置１１０の画面に盗難情報を表示させる、あるいは前記携帯式コンピュータ装置１１０のスピーカーに継続的にノイズを発生させる。代替的に、泥棒を捕まえるために何もしないこともできる。前記携帯式コンピュータ装置１１０が依然として作動状態である場合には、前記集積回路１１３は、前記第１ハードウェアデータ表を前記データサーバーに所定の期間ごと（例えば１分ごと）に自動的に送信する（ステップＳ３７）。一方、前記第２ハードウェアデータ表の状態フィールドが「正常」状態の場合（ステップＳ３５で「ＮＯ」）、前記集積回路１１３は、前記第１ハードウェアデータ表を前記データサーバーに所定の期間ごとに自動的に送信する（ステップＳ３７）。
【００２７】
図４は、本発明の別の実施例の盗難防止方法の流れ図である。
【００２８】
データ登録を完成した後、前記携帯式コンピュータ装置１１０が再度作動する（ステップＳ４１）。前記携帯式コンピュータ装置１１０の前記集積回路１１３は、ベーシックインプット/アウトプットシステム１１１に基づいて検出されたハードウェア部品からハードウェアデータ表（第１ハードウェアデータ表）を生成する（ステップＳ４２）。前記集積回路１１３は、前記携帯式コンピュータ装置１１０の前記内蔵ネットワーク装置１１７がネットワーク（例えばインターネット）に接続可能かどうかを判断する（ステップＳ４３）。ネットワークに接続可能な場合（ステップＳ４３で「ＹＥＳ」）、前記集積回路１１３は、前記内蔵ネットワーク装置１１７により前記第１ハードウェアデータ表を前記データサーバーに送信する（ステップＳ４４）。
【００２９】
一方、ネットワークに接続できない場合（ステップＳ４３で「ＮＯ」）、前記集積回路１１３は、伝送プログラムがインストールされているかどうかを判断する（ステップＳ４５）。伝送プログラムをインストールされていない場合（ステップＳ４５で「ＮＯ」）、前記集積回路１１３は、記録媒体（図示せず）にある伝送プログラムをバックグラウンドでインストールする（ステップＳ４６）。伝送プログラムを既にインストールしている場合（ステップＳ４５で「ＹＥＳ」）、外部ネットワーク装置を用いてネットワーク（例えばインターネット）に接続し、前記伝送プログラムを用いて前記第１ハードウェアデータ表を前記データサーバーに送信する（ステップＳ４７）。既に前記データサーバーにアップロードしたハードウェアデータ表を第２ハードウェアデータ表と称する。
【００３０】
第２ハードウェアデータ表の前記状態フィールドに基づいて、前記携帯式コンピュータ装置１１０が盗難されたかどうかを判断する（ステップＳ４８）。前記携帯式コンピュータ装置１１０が盗難されたと判断した場合（ステップＳ４８で「ＹＥＳ」）、使用者は使用者名称とパスワードを用いて他のコンピュータ装置より前記データサーバーにログインし、前記データサーバー１２０の前記第２ハードウェアデータ表の前記状態フィールドを「盗難」に変更する。
【００３１】
前記第２ハードウェアデータ表の前記状態フィールドが「盗難」を示している場合、前記集積回路１１３は、盗難表示機能を作動し（ステップＳ４９）、前記携帯式コンピュータ装置１１０の画面をロックして全ての操作を実行できなくさせ、さらに前記携帯式コンピュータ装置１１０の画面に盗難情報を表示させるか、あるいは前記携帯式コンピュータ装置のスピーカーに継続的にノイズを発生させる。前記携帯式コンピュータ装置１１０が依然として作動状態である場合、前記集積回路１１３は、前記第１ハードウェアデータ表を前記データサーバーに所定の期間ごと（例えば１分ごと）に自動的に送信する（ステップＳ５０）。前記第２ハードウェアデータ表の前記状態フィールドが正常状態の場合には（ステップＳ４８で「ＮＯ」）、前記集積回路は、第１ハードウェアデータ表を前記データサーバーに所定の期間ごとに自動的に送信する（ステップＳ５０）。
【００３２】
図５は、本発明の実施例の携帯式コンピュータ装置１１０を譲渡または売却し、使用者データを再登録するフロー図である。
【００３３】
使用者が前記携帯式コンピュータ装置１１０を他の使用者に譲渡または売却する時（ステップＳ５１）、元の使用者は、使用者名称とパスワードを用いて前記データサーバーにログインして、登録データを削除する（ステップＳ５２）。新しい使用者が前記携帯式コンピュータ装置１１０を作動させると、前記集積回路１１３が前記データサーバー１２０に自動的に接続して、新しい使用者データを登録させることができる（ステップＳ５３）。
【００３４】
本発明は、記憶媒体（例えば、ＣＤ−ＲＯＭ、フレキシブルディスクと、リムーバブルのハードドライブなど）を更に提供する。記録媒体は、前記の盗難防止方法を実行するために、コンピュータ読取可能の承認権限プログラムを格納する。記録媒体に保存される承認権限プログラムは、基本的に複数のプログラムセクションより組成され（例えば、組織図を作成するプログラムセクション、承認テーブルのプログラムセクション、設定プログラムセクション、及び部署プログラムセクション）、且つこれらのプログラムセクションの機能は、前記方法のステップと前記システムの機能のブロック図に対応する。
【００３５】
以上、本発明を図面に示した実施例を用いて説明したが、これらは例示的なものに過ぎず、本技術分野の当業者ならば、本発明の範囲および趣旨から逸脱しない範囲で多様な変更および変形が可能なことは理解できるであろう。したがって、本発明の範囲は、説明された実施形態によって定められず、特許請求の範囲に記載された技術的趣旨により定められねばならない。
【図面の簡単な説明】
【００３６】
【図１Ａ】本発明の実施例の盗難防止システムの概略図である。
【図１Ｂ】本発明の別の実施例の盗難防止システムの概略図である。
【図２】本発明の実施例の携帯式コンピュータ装置の登録データのフロー図である。
【図３】本発明の実施例の盗難防止方法のフロー図である。
【図４】本発明の別の実施例の盗難防止方法のフロー図である。
【図５】本発明の実施例の携帯式コンピュータ装置の移譲または売却、並びに新しい使用者データを登録するフロー図である。
【符号の説明】
【００３７】
１１０  携帯式コンピュータ装置
１１１  ベーシックインプット/アウトプットシステム
１１３  集積回路
１１４  ハードウェアデータ表
１１５  ハードウェア部品
１１７  内蔵ネットワーク装置
１１９  外部ネットワーク装置
１２０  データサーバー
１２５  ハードウェアデータ表 
【図１Ａ】
0004972631.tif 000002
【図１Ｂ】
0004972631.tif 000003
【図２】
0004972631.tif 000004
【図３】
0004972631.tif 000005
【図４】
0004972631.tif 000006
【図５】
0004972631.tif 000007